(57)【要約】【課題】誤差増幅器の出力を大きくすることなく、不要波の出力を低減することができるマルチポートフィードフォワード増幅器を得ることを目的とする。【解決手段】１８０度ハイブリッド回路３１により分配された第１の経路上の信号に含まれている信号２を不要波として低減するハイブリッド偏差調整用可変減衰器１４及びハイブリッド偏差調整用移相器１５と、１８０度ハイブリッド回路３１により分配された第２の経路上の信号に含まれている信号１を不要波として低減するハイブリッド偏差調整用可変減衰器４４及びハイブリッド偏差調整用移相器４５とを設ける。【選択図】図１
2013110638.tif 000002
【特許請求の範囲】
【請求項１】
第１の入力ポートから入力された第１の信号を分波して、分波後の第１の信号を第１の経路と第２の経路に分配するとともに、第２の入力ポートから入力された第２の信号を分波して、分波後の第２の信号を第１の経路と第２の経路に分配する信号分配手段と、上記信号分配手段により分配された第１の経路上の信号に含まれている第２の信号を不要波として低減する第１の不要波低減手段と、上記信号分配手段により分配された第２の経路上の信号に含まれている第１の信号を不要波として低減する第２の不要波低減手段と、上記第１の不要波低減手段により不要波が低減された第１の経路上の信号を増幅する第１の増幅器と、上記第２の不要波低減手段により不要波が低減された第２の経路上の信号を増幅する第２の増幅器と、上記第１の増幅器により増幅された第１の経路上の信号と上記第２の増幅器により増幅された第２の経路上の信号を合波して、合波後の第１の信号を第１の経路に出力するとともに、合波後の第２の信号を第２の経路に出力する信号合波手段と、上記信号合波手段から出力された第１の経路上の第１の信号に含まれている歪み成分を抽出する第１の歪み成分抽出手段と、上記信号合波手段から出力された第２の経路上の第２の信号に含まれている歪み成分を抽出する第２の歪み成分抽出手段と、上記信号合波手段から出力された第１の経路上の第１の信号と上記第１の歪み成分抽出手段により抽出された歪み成分を合波して、上記第１の信号に含まれている歪み成分を除去する第１の歪み成分除去手段と、上記信号合波手段から出力された第２の経路上の第２の信号と上記第２の歪み成分抽出手段により抽出された歪み成分を合波して、上記第２の信号に含まれている歪み成分を除去する第２の歪み成分除去手段とを備えたマルチポートフィードフォワード増幅器。
【請求項２】
第１の入力ポートから入力された第１の信号の振幅及び位相を調整する第１の振幅位相調整手段と、第２の入力ポートから入力された第２の信号の振幅及び位相を調整する第２の振幅位相調整手段とを信号分配手段の前段に配置していることを特徴とする請求項１記載のマルチポートフィードフォワード増幅器。
【請求項３】
第１の不要波低減手段、第１の増幅器、第１の歪み成分抽出手段及び第１の歪み成分除去手段を有するフィードフォワード増幅器を２のｎ−１乗個備え（ｎは１以上の整数）、第２の不要波低減手段、第２の増幅器、第２の歪み成分抽出手段及び第２の歪み成分除去手段を有するフィードフォワード増幅器を２のｎ−１乗個備えていることを特徴とする請求項１記載のマルチポートフィードフォワード増幅器。
【請求項４】
第１の入力ポートから入力された第１の信号の振幅及び位相を調整する第１の振幅位相調整手段と、第２の入力ポートから入力された第２の信号の振幅及び位相を調整する第２の振幅位相調整手段と、上記第１の振幅位相調整手段により振幅及び位相が調整された第１の信号を分波して、分波後の第１の信号を第１の経路と第２の経路に分配するとともに、上記第２の振幅位相調整手段により振幅及び位相が調整された第２の信号を分波して、分波後の第２の信号を第１の経路と第２の経路に分配する信号分配手段と、上記信号分配手段により分配された第１の経路上の信号を増幅する第１の増幅器と、上記信号分配手段により分配された第２の経路上の信号を増幅する第２の増幅器と、上記第１の増幅器により増幅された第１の経路上の信号と上記第２の増幅器により増幅された第２の経路上の信号を合波して、合波後の第１の信号及び第２の信号の一部を第１の経路に出力するとともに、合波後の第２の信号及び第１の信号の一部を第２の経路に出力する信号合波手段と、上記信号合波手段から出力された第１の経路上の信号における第１の信号に含まれている歪み成分と第２の信号を不要波として抽出する第１の不要波抽出手段と、上記信号合波手段から出力された第２の経路上の信号における第２の信号に含まれている歪み成分と第１の信号を不要波として抽出する第２の不要波抽出手段と、上記信号合波手段から出力された第１の経路上の信号と上記第１の不要波抽出手段により抽出された不要波を合波して、上記第１の経路上の信号における第１の信号に含まれている歪み成分と第２の信号を除去する第１の不要波除去手段と、上記信号合波手段から出力された第２の経路上の信号と上記第２の不要波抽出手段により抽出された不要波を合波して、上記第２の経路上の信号における第２の信号に含まれている歪み成分と第１の信号を除去する第２の不要波除去手段とを備えたマルチポートフィードフォワード増幅器。
【請求項５】
第１の振幅位相調整手段、第１の増幅器、第１の不要波抽出手段及び第１の不要波除去手段を有するフィードフォワード増幅器を２のｎ−１乗個備え（ｎは１以上の整数）、第２の振幅位相調整手段、第２の増幅器、第２の不要波抽出手段及び第２の不要波除去手段を有するフィードフォワード増幅器を２のｎ−１乗個備えていることを特徴とする請求項４記載のマルチポートフィードフォワード増幅器。
【請求項６】
第１の入力ポートから入力された第１の信号を分波して、分波後の第１の信号を第１の経路と第２の経路に分配するとともに、第２の入力ポートから入力された第２の信号を分波して、分波後の第２の信号を第１の経路と第２の経路に分配する第１の９０度ハイブリッド回路と、上記第１の９０度ハイブリッド回路により分配された第１の経路上の信号及び第２の経路上の信号のうち、少なくとも一方の信号の位相を調整して、上記第１の経路上の信号と上記第２の経路上の信号との位相差を１８０度に設定する位相調整手段と、上記第１の経路上の信号を増幅する第１の増幅器と、上記第２の経路上の信号を増幅する第２の増幅器と、上記第１の増幅器により増幅された第１の経路上の信号と上記第２の増幅器により増幅された第２の経路上の信号を合波して、合波後の第１の信号を第１の経路に出力するとともに、合波後の第２の信号を第２の経路に出力する第２の９０度ハイブリッド回路とを備えたマルチポートフィードフォワード増幅器。
【請求項７】
第１の増幅器を有するフィードフォワード増幅器を２のｎ−１乗個備え（ｎは１以上の整数）、第２の増幅器を有するフィードフォワード増幅器を２のｎ−１乗個備えていることを特徴とする請求項６記載のマルチポートフィードフォワード増幅器。
【発明の詳細な説明】
【技術分野】
【０００１】
この発明は、例えば、地上マイクロ波通信用増幅器に適用されて、複数の送信信号を増幅するマルチポートフィードフォワード電力増幅器に関するものである。
【背景技術】
【０００２】
フィードフォワード増幅器は、基地局の通信用増幅器や中継機用増幅器として利用することが知られており、高い線形性を得ることができる。
フィードフォワード増幅器を通信用増幅器として用いる場合、故障の発生時にも継続して運用できるようにするために複数台の予備機が用意され、何らかの異常を検知すると、スイッチ等で予備機に切り替えるようにしている。
【０００３】
マルチポート電力増幅器は、小型化や低消費電力化を図る目的で、複数の信号を共通増幅する増幅器として用いられている。
例えば、マルチポート電力増幅器は、環境が厳しい衛星通信等で使用され、限られた電力を有効利用している方式であって、空間分割多重方式により複数のアンテナを用いて通信容量を増加させている方式であるＭＩＭＯ方式などに適用されることがある。
以下の特許文献１には、上記のフィードフォワード技術とマルチポート技術を用いているマルチポートフィードフォワード増幅器が開示されている。
【０００４】
マルチポートフィードフォワード増幅器を通信用増幅器として用いるシステムでは、増幅器に求められる線形性が非常に高く、信号の歪みとして５０ｄＢｃ〜６０ｄＢｃが求められる。
しかしながら、マルチポート構成にすると、ハイブリッド回路の特性と増幅器のバラツキに起因して、ポート間のアイソレーションが悪くなることがある。そのため、不要波が出力されて増幅器に要求される歪み特性に問題を生じることがある（例えば、特許文献２を参照）。
【０００５】
ここで、理想的なマルチポート増幅器の動作を説明する。
図１０（ａ）は２つの理想増幅器（１），（２）の両端に、理想９０度ハイブリッド回路（１），（２）が接続されているマルチポート増幅器である。
Ｐｏｒｔ１から入力された周波数ｆ１の信号は、理想９０度ハイブリッド回路（１）を通過して、理想増幅器（１），（２）で増幅された後、理想９０度ハイブリッド回路（２）で合波されて、Ｐｏｒｔ４に出力される。
一方、Ｐｏｒｔ２から入力された周波数ｆ２の信号は、理想９０度ハイブリッド回路（１）を通過して、理想増幅器（１），（２）で増幅された後、理想９０度ハイブリッド回路（２）で合波されて、Ｐｏｒｔ３に出力される。
【０００６】
しかし、９０度ハイブリッド回路が理想的でなくなると、ポート間のアイソレーションが悪くなるため、図１０（ｂ）に示すように、Ｐｏｒｔ４から周波数ｆ１の信号だけでなく、周波数ｆ２の信号も出力されるようになる。
同様に、Ｐｏｒｔ３から周波数ｆ２の信号だけでなく、周波数ｆ１の信号も出力されるようになる。
この現象は、ポート間のアイソレーションが悪化したことにより、増幅器（１）を通る経路上の信号と、増幅器（２）を通る経路上の信号における振幅及び位相に偏差が生じてしまうことに起因している。以下、Ｐｏｒｔ３，４から出力される余分な信号を不要波と称する。
【０００７】
また、増幅器が理想的でない場合も、図１０（ｃ）に示すように、Ｐｏｒｔ３，４から不要波が出力される。
これは、増幅器（１），（２）のバラツキに起因して、増幅器（１）を通る経路上の信号と、増幅器（２）を通る経路上の信号における振幅及び位相に偏差が生じてしまうことに起因している。
また、増幅器（１），（２）が理想でないため、信号の近傍に歪みが生じている（図１０では、信号を↑で記載しているが、ＣＷ２波を想定して近傍にＩＭ３が出力されている）。
【０００８】
図１０（ｄ）は特許文献１に記載されているマルチポートフィードフォワード増幅器のポートを２つにした場合を示している。
ハイブリッド回路のポート間アイソレーションと増幅器のバラツキによる振幅偏差と位相偏差により不要波のレベルが大きくなり、不要波に対して歪み成分が重畳されている。
このように、特許文献１に記載されているマルチポートフィードフォワード増幅器では、不要波のレベルが大きくなり、増幅器の歪み成分より大きくなる。このため、誤差増幅器の出力を大きくする必要があり、消費電力の増大や大型化を招いてしまうことになる。
【先行技術文献】
【特許文献】
【０００９】
【特許文献１】特開２００３−２４４０５１号公報
【特許文献２】特開２００５−２６９０４３号公報
【発明の概要】
【発明が解決しようとする課題】
【００１０】
従来のマルチポートフィードフォワード増幅器は以上のように構成されているので、ハイブリッド回路や増幅器が理想的であれば、不要波が出力されることはないが、ハイブリッド回路や増幅器が理想的でないと、Ｐｏｒｔ３，４から不要波が出力されてしまうことがある。不要波の出力を防止するには、誤差増幅器の出力を大きくする必要があり、消費電力の増大や大型化を招いてしまうなどの課題があった。
【００１１】
この発明は上記のような課題を解決するためになされたもので、誤差増幅器の出力を大きくすることなく、不要波の出力を低減することができるマルチポートフィードフォワード増幅器を得ることを目的とする。
【課題を解決するための手段】
【００１２】
この発明に係るマルチポートフィードフォワード増幅器は、第１の入力ポートから入力された第１の信号を分波して、分波後の第１の信号を第１の経路と第２の経路に分配するとともに、第２の入力ポートから入力された第２の信号を分波して、分波後の第２の信号を第１の経路と第２の経路に分配する信号分配手段と、信号分配手段により分配された第１の経路上の信号に含まれている第２の信号を不要波として低減する第１の不要波低減手段と、信号分配手段により分配された第２の経路上の信号に含まれている第１の信号を不要波として低減する第２の不要波低減手段と、第１の不要波低減手段により不要波が低減された第１の経路上の信号を増幅する第１の増幅器と、第２の不要波低減手段により不要波が低減された第２の経路上の信号を増幅する第２の増幅器と、第１の増幅器により増幅された第１の経路上の信号と第２の増幅器により増幅された第２の経路上の信号を合波して、合波後の第１の信号を第１の経路に出力するとともに、合波後の第２の信号を第２の経路に出力する信号合波手段と、信号合波手段から出力された第１の経路上の第１の信号に含まれている歪み成分を抽出する第１の歪み成分抽出手段と、信号合波手段から出力された第２の経路上の第２の信号に含まれている歪み成分を抽出する第２の歪み成分抽出手段と、信号合波手段から出力された第１の経路上の第１の信号と第１の歪み成分抽出手段により抽出された歪み成分を合波して、第１の信号に含まれている歪み成分を除去する第１の歪み成分除去手段と、信号合波手段から出力された第２の経路上の第２の信号と第２の歪み成分抽出手段により抽出された歪み成分を合波して、第２の信号に含まれている歪み成分を除去する第２の歪み成分除去手段とを備えるようにしたものである。
【発明の効果】
【００１３】
この発明によれば、信号分配手段により分配された第１の経路上の信号に含まれている第２の信号を不要波として低減する第１の不要波低減手段と、信号分配手段により分配された第２の経路上の信号に含まれている第１の信号を不要波として低減する第２の不要波低減手段とを設けるように構成したので、誤差増幅器の出力を大きくすることなく、不要波の出力を低減することができる効果がある。
【図面の簡単な説明】
【００１４】
【図１】この発明の実施の形態１によるマルチポートフィードフォワード増幅器を示す構成図である。
【図２】フィードフォワード増幅器１の処理内容を示す説明図である。
【図３】ハイブリッド偏差調整用可変減衰器１４，４４及びハイブリッド偏差調整用移相器１５，５５が実装されていない場合と、ハイブリッド偏差調整用可変減衰器１４，４４及びハイブリッド偏差調整用移相器１５，５５が実装されている場合の信号処理結果を示す説明図である。
【図４】この発明の実施の形態２によるマルチポートフィードフォワード増幅器を示す構成図である。
【図５】フィードフォワード増幅器１の処理内容を示す説明図である。
【図６】この発明の実施の形態３によるマルチポートフィードフォワード増幅器を示す構成図である。
【図７】フィードフォワード増幅器１の処理内容を示す説明図である。
【図８】この発明の実施の形態４によるマルチポートフィードフォワード増幅器を示す構成図である。
【図９】この発明の実施の形態４によるマルチポートフィードフォワード増幅器の効果を説明する説明図である。
【図１０】マルチポートフィードフォワード増幅器から不要波が出力される様子を示す説明図である。
【発明を実施するための形態】
【００１５】
実施の形態１．
図１はこの発明の実施の形態１によるマルチポートフィードフォワード増幅器を示す構成図である。
図１のマルチポートフィードフォワード増幅器では、２個のフィードフォワード増幅器１，２から構成されている例を示しているが、フィードフォワード増幅器の個数は２個に限るものではなく、２のｎ乗個のフィードフォワード増幅器から構成されているものであればよい。ただし、ｎは１以上の整数である。
【００１６】
図１において、Ａ，Ｃは入力ポート、Ｂ，Ｄは出力ポートであり、入力ポートＡ（第１の入力ポート）から出力ポートＢに至る経路を「第１の経路」と称し、入力ポートＣ（第２の入力ポート）から出力ポートＤに至る経路を「第２の経路」と称する。
信号分波器１１は入力ポートＡから入力されたＣＷ２波である信号１（第１の信号）を分波する部材である。
信号分波器４１は入力ポートＢから入力されたＣＷ２波（信号１と異なる周波数のＣＷ２波）である信号２（第２の信号）を分波する部材である。
【００１７】
歪み抽出用可変減衰器１２は後段の信号合波器２０で信号１に含まれている歪み成分を抽出することができるように、信号分波器１１により分波された信号１の振幅を調整する部材である。
歪み抽出用可変減衰器４２は後段の信号合波器５０で信号２に含まれている歪み成分を抽出することができるように、信号分波器４１により分波された信号２の振幅を調整する部材である。
【００１８】
歪み抽出用移相器１３は後段の信号合波器２０で信号１に含まれている歪み成分を抽出することができるように、歪み抽出用可変減衰器１２により振幅が調整された信号１の位相を調整する部材である。
歪み抽出用移相器４３は後段の信号合波器５０で信号２に含まれている歪み成分を抽出することができるように、歪み抽出用可変減衰器４２により振幅が調整された信号２の位相を調整する部材である。
なお、歪み抽出用可変減衰器１２及び歪み抽出用移相器１３から第１の振幅位相調整手段が構成されており、歪み抽出用可変減衰器４２及び歪み抽出用移相器４３から第２の振幅位相調整手段が構成されている。
【００１９】
１８０度ハイブリッド回路３１は歪み抽出用移相器１３により位相が調整された信号１を分波して、分波後の信号１を第１の経路と第２の経路に分配するとともに、歪み抽出用移相器４３により位相が調整された信号２を分波して、分波後の信号２を第１の経路と第２の経路に分配する部材である。なお、１８０度ハイブリッド回路３１は信号分配手段を構成している。
【００２０】
ハイブリッド偏差調整用可変減衰器１４は１８０度ハイブリッド回路３１により分配された第１の経路上の信号に含まれている信号２を不要波として低減するために、第１の経路上の信号の振幅を調整する部材である。
ハイブリッド偏差調整用可変減衰器４４は１８０度ハイブリッド回路３１により分配された第２の経路上の信号に含まれている信号１を不要波として低減するために、第２の経路上の信号の振幅を調整する部材である。
【００２１】
ハイブリッド偏差調整用移相器１５は１８０度ハイブリッド回路３１により分配された第１の経路上の信号に含まれている信号２を不要波として低減するために、ハイブリッド偏差調整用可変減衰器１４により振幅が調整された第１の経路上の信号の位相を調整する部材である。
ハイブリッド偏差調整用移相器４５は１８０度ハイブリッド回路３１により分配された第２の経路上の信号に含まれている信号１を不要波として低減するために、ハイブリッド偏差調整用可変減衰器４４により振幅が調整された第２の経路上の信号の位相を調整する部材である。
なお、ハイブリッド偏差調整用可変減衰器１４及びハイブリッド偏差調整用移相器１５から第１の不要波低減手段が構成されており、ハイブリッド偏差調整用可変減衰器４４及びハイブリッド偏差調整用移相器４５から第２の不要波低減手段が構成されている。
【００２２】
主増幅器１６はハイブリッド偏差調整用移相器１５により位相が調整された第１の経路上の信号を増幅する部材である。なお、主増幅器１６は第１の増幅器を構成している。
主増幅器４６はハイブリッド偏差調整用移相器４５により位相が調整された第２の経路上の信号を増幅する部材である。なお、主増幅器４６は第２の増幅器を構成している。
【００２３】
１８０度ハイブリッド回路３２は主増幅器１６により増幅された第１の経路上の信号と主増幅器４６により増幅された第２の経路上の信号を合波して、合波後の信号１を第１の経路に出力するとともに、合波後の信号２を第２の経路に出力する部材である。なお、１８０度ハイブリッド回路３２は信号合波手段を構成している。
【００２４】
歪み抽出用遅延線路１７は信号分波器１１により分波された信号１を伝送する線路である。
歪み抽出用遅延線路４７は信号分波器４１により分波された信号２を伝送する線路である。
【００２５】
信号分波器１８は１８０度ハイブリッド回路３２から出力された合波後の信号１を分波する部材である。
信号分波器４８は１８０度ハイブリッド回路３２から出力された合波後の信号２を分波する部材である。
【００２６】
歪みレベル調整用可変減衰器１９は信号分波器１８により分波された信号１に含まれている歪み成分を抽出することができるように、その信号１の振幅を調整する部材である。
歪みレベル調整用可変減衰器４９は信号分波器４８により分波された信号２に含まれている歪み成分を抽出することができるように、その信号２の振幅を調整する部材である。
【００２７】
信号合波器２０は歪みレベル調整用可変減衰器１９により振幅が調整された信号１と歪み抽出用遅延線路１７により伝送された信号１を合波することで、主増幅器１６や１８０度ハイブリッド回路３１，３２で発生している歪み成分（１８０度ハイブリッド回路３２から出力された合波後の信号１に含まれている歪み成分）を抽出する部材である。
信号合波器５０は歪みレベル調整用可変減衰器４９により振幅が調整された信号２と歪み抽出用遅延線路４７により伝送された信号２を合波することで、主増幅器４６や１８０度ハイブリッド回路３１，３２で発生している歪み成分（１８０度ハイブリッド回路３２から出力された合波後の信号２に含まれている歪み成分）を抽出する部材である。
なお、信号分波器１１、歪み抽出用遅延線路１７、信号分波器１８、歪みレベル調整用可変減衰器１９及び信号合波器２０から第１の歪み成分抽出手段が構成されており、信号分波器４１、歪み抽出用遅延線路４７、信号分波器４８、歪みレベル調整用可変減衰器４９及び信号合波器５０から第２の歪み成分抽出手段が構成されている。
【００２８】
歪みキャンセル用可変減衰器２１は信号合波器２０により抽出された信号１に含まれている歪み成分の振幅を調整する部材である。
歪みキャンセル用可変減衰器５１は信号合波器５０により抽出された信号２に含まれている歪み成分の振幅を調整する部材である。
【００２９】
歪みキャンセル用移相器２２は歪みキャンセル用可変減衰器２１により振幅が調整された信号１に含まれている歪み成分の位相を調整する部材である。
歪みキャンセル用移相器５２は歪みキャンセル用可変減衰器５１により振幅が調整された信号２に含まれている歪み成分の位相を調整する部材である。
【００３０】
誤差増幅器２３は歪みキャンセル用移相器２２により位相が調整された信号１に含まれている歪み成分を線形増幅する部材である。
誤差増幅器５３は歪みキャンセル用移相器５２により位相が調整された信号２に含まれている歪み成分を線形増幅する部材である。
【００３１】
歪みキャンセル用遅延線路２４は信号分波器１８により分波された信号１を伝送する線路である。
歪みキャンセル用遅延線路５４は信号分波器４８により分波された信号２を伝送する線路である。
【００３２】
信号合波器２５は歪みキャンセル用遅延線路２４により伝送された信号１（主増幅器１６等で発生している歪み成分を含んでいる信号１）と誤差増幅器２３により線形増幅された信号１に含まれている歪み成分を合波することで、信号１に含まれている歪み成分を除去して、歪み成分を含んでいない信号１を出力ポートＢに出力する部材である。
信号合波器５５は歪みキャンセル用遅延線路５４により伝送された信号２（主増幅器４６等で発生している歪み成分を含んでいる信号２）と誤差増幅器５３により線形増幅された信号２に含まれている歪み成分を合波することで、信号２に含まれている歪み成分を除去して、歪み成分を含んでいない信号２を出力ポートＤに出力する部材である。
なお、歪みキャンセル用可変減衰器２１、歪みキャンセル用移相器２２、誤差増幅器２３、歪みキャンセル用遅延線路２４及び信号合波器２５から第１の歪み成分除去手段が構成されており、歪みキャンセル用可変減衰器５１、歪みキャンセル用移相器５２、誤差増幅器５３、歪みキャンセル用遅延線路５４及び信号合波器５５から第２の歪み成分除去手段が構成されている。
【００３３】
次に動作について説明する。
入力ポートＡから入力されたＣＷ２波である信号１は、第１の経路上にある主増幅器１６で増幅されるが、主増幅器１６等で歪み成分が発生するため、フィードフォワード増幅器１では、信号１に含まれている歪み成分が抽出されて、信号１から歪み成分が除去された後、出力ポートＢから出力される。
一方、入力ポートＢから入力されたＣＷ２波である信号２は、第２の経路上にある主増幅器４６で増幅されるが、主増幅器４６等で歪み成分が発生するため、フィードフォワード増幅器２では、信号２に含まれている歪み成分が抽出されて、信号２から歪み成分が除去された後、出力ポートＤから出力される。
【００３４】
以下、図１のマルチポートフィードフォワード増幅器におけるフィードフォワード増幅器１，２の処理内容を具体的に説明する。
ただし、フィードフォワード増幅器１とフィードフォワード増幅器２の処理内容は同様であるため、ここでは代表して、フィードフォワード増幅器１の処理内容を説明する。
図２はフィードフォワード増幅器１の処理内容を示す説明図である。
【００３５】
信号分波器１１は、入力ポートＡからＣＷ２波である信号１が入力されると、その信号１を分波して、分波後の信号１を歪み抽出用可変減衰器１２及び歪み抽出用遅延線路１７に出力する。
このとき、信号１と周波数が異なるＣＷ２波である信号２が入力ポートＣから入力されるものとする。
【００３６】
歪み抽出用可変減衰器１２は、後段の信号合波器２０で信号１に含まれている歪み成分を抽出することができるようにするために、信号分波器１１により分波された信号１の振幅を調整する。
また、歪み抽出用移相器１３は、歪み抽出用可変減衰器１２と同様に、信号合波器２０で信号１に含まれている歪み成分を抽出することができるようにするために、歪み抽出用可変減衰器１２により振幅が調整された信号１の位相を調整する。
なお、入力ポートＡから入力されるパイロット信号が出力ポートＢに出力されず、また、信号１が信号合波器２０で消去されるように、歪み抽出用可変減衰器１２及び歪み抽出用移相器１３で振幅・位相が調整される。
【００３７】
１８０度ハイブリッド回路３１は、歪み抽出用移相器１３が信号１の位相を調整し、歪み抽出用移相器４３が信号２の位相を調整すると、その信号１を分波して、分波後の信号１を第１の経路と第２の経路に分配するとともに、その信号２を分波して、分波後の信号２を第１の経路と第２の経路に分配する。
これにより、１８０度ハイブリッド回路３１から第１の経路上のハイブリッド偏差調整用可変減衰器１４には信号１＋信号２が出力され、また、１８０度ハイブリッド回路３１から第２の経路上のハイブリッド偏差調整用可変減衰器４４には信号１＋信号２が出力される。
【００３８】
ハイブリッド偏差調整用可変減衰器１４は、１８０度ハイブリッド回路３１により分配された第１の経路上の信号に含まれている信号２を不要波として低減するために、第１の経路上の信号の振幅を調整する。
また、ハイブリッド偏差調整用移相器１５は、ハイブリッド偏差調整用可変減衰器１４と同様に、１８０度ハイブリッド回路３１により分配された第１の経路上の信号に含まれている信号２を不要波として低減するために、ハイブリッド偏差調整用可変減衰器１４により振幅が調整された第１の経路上の信号の位相を調整する。
【００３９】
主増幅器１６は、ハイブリッド偏差調整用移相器１５が第１の経路上の信号の位相を調整すると、第１の経路上の信号を増幅して、増幅後の信号を１８０度ハイブリッド回路３２に出力する。
１８０度ハイブリッド回路３２は、主増幅器１６が第１の経路上の信号を増幅し、主増幅器４６が第２の経路上の信号を増幅すると、増幅後の第１の経路上の信号と増幅後の第２の経路上の信号を合波して、合波後の信号１を第１の経路に出力するとともに、合波後の信号２を第２の経路に出力する。
【００４０】
このとき、ハイブリッド偏差調整用可変減衰器１４，４４及びハイブリッド偏差調整用移相器１５，５５が実装されていない場合、１８０度ハイブリッド回路３１，３２と主増幅器１６，４６のバラツキに起因して、１８０度ハイブリッド回路３２から信号分波器１８に出力される第１の経路上の信号には、信号１の他に、信号１の歪み成分と信号２の一部が含まれてしまう。
主増幅器１６，４６を通る経路の振幅偏差と位相偏差が大きいほど、１８０度ハイブリッド回路３２の出力が大きくなるため、歪み成分より信号２の不要波が大きい場合、後述する誤差増幅器２３の出力電力を大きくする必要があり、その結果、消費電力が増えるとともに、歪みキャンセル用遅延線路２４を長くする必要があるため、マルチポートフィードフォワード増幅器全体の効率が低下する問題が発生する。
【００４１】
これに対して、この実施の形態１では、偏差調整用可変減衰器１４，４４及びハイブリッド偏差調整用移相器１５，５５が実装されており、１８０度ハイブリッド回路３２から第１の経路上に出力される信号の中から信号２が消去されるように、偏差調整用可変減衰器１４，４４及びハイブリッド偏差調整用移相器１５，５５が振幅・位相を調整しているので、誤差増幅器２３の出力電力を大きくする必要がない。
【００４２】
信号分波器１８は、１８０度ハイブリッド回路３２から合波後の信号１を受けると、その信号１を分波して、分波後の信号を歪みレベル調整用可変減衰器１９と歪みキャンセル用遅延線路２４に出力する。
歪みレベル調整用可変減衰器１９は、信号分波器１８により分波された信号１に含まれている歪み成分を抽出することができるように、その信号１の振幅を調整する。
【００４３】
信号合波器２０は、歪みレベル調整用可変減衰器１９が信号１の振幅を調整すると、振幅調整後の信号１と歪み抽出用遅延線路１７により伝送された信号１を合波することで、主増幅器１６や１８０度ハイブリッド回路３１，３２で発生している歪み成分（１８０度ハイブリッド回路３２から出力された合波後の信号１に含まれている歪み成分）を抽出する。
【００４４】
歪みキャンセル用可変減衰器２１は、後段の信号合波器２５で、信号１に含まれている歪み成分が除去されるようにするために、信号合波器２０により抽出された信号１に含まれている歪み成分の振幅を調整する。
また、歪みキャンセル用移相器２２は、歪みキャンセル用可変減衰器２１と同様に、信号合波器２５で信号１に含まれている歪み成分が除去されるようにするために、歪みキャンセル用可変減衰器２１により振幅が調整された信号１に含まれている歪み成分の位相を調整する。
なお、入力ポートＡから入力されるパイロット信号が出力ポートＢに出力されないようにするため、歪みキャンセル用可変減衰器２１及び歪みキャンセル用移相器２２で振幅・位相が調整される。
【００４５】
誤差増幅器２３は、歪みキャンセル用移相器２２が信号１に含まれている歪み成分の位相を調整すると、その歪み成分を線形増幅する。
信号合波器２５は、歪みキャンセル用遅延線路２４により伝送された信号１（主増幅器１６等で発生している歪み成分を含んでいる信号１）と誤差増幅器２３により線形増幅された信号１に含まれている歪み成分を合波することで、信号１に含まれている歪み成分を除去して、歪み成分を含んでいない信号１を出力ポートＢに出力する。
【００４６】
ここでは、フィードフォワード増幅器１の処理内容を説明したが、フィードフォワード増幅器２がフィードフォワード増幅器１と同様の処理を実施することで、入力ポートＣから入力された信号２についても、主増幅器４６等で発生する歪み成分が除去されて、歪み成分を含んでいない信号２が出力ポートＤに出力される。
【００４７】
ここで、図３はハイブリッド偏差調整用可変減衰器１４，４４及びハイブリッド偏差調整用移相器１５，５５が実装されていない場合と、ハイブリッド偏差調整用可変減衰器１４，４４及びハイブリッド偏差調整用移相器１５，５５が実装されている場合の信号処理結果を示す説明図である。
ハイブリッド偏差調整用可変減衰器１４，４４及びハイブリッド偏差調整用移相器１５，５５が実装されていない場合、図３（ａ）に示すように、不要波である信号２が出力ポートＢに出力されており、また、その不要波の影響で大きな歪み成分が出力ポートＢに出力されている。このときの１８０度ハイブリッド回路３１，３２のポート間アイソレーションは２４ｄＢである。
【００４８】
一方、ハイブリッド偏差調整用可変減衰器１４，４４及びハイブリッド偏差調整用移相器１５，５５が実装されている場合、図３（ｂ）に示すように、不要波である信号２が出力ポートＢに出力されないため、歪み成分を大幅に低減することができる。
なお、ハイブリッド偏差調整用可変減衰器１４，４４及びハイブリッド偏差調整用移相器１５，５５が実装されていない場合、１８０度ハイブリッド回路３２から第１の経路上に出力される信号は、図３（ｃ）に示すようになり、不要波が歪み成分より大きい。
１８０度ハイブリッド回路３１，３２のポート間アイソレーションが２４ｄＢの場合、不要波のレベルが歪み成分のレベルより５ｄＢ以上大きく、少なくとも誤差増幅器２３の出力レベルは３．２倍以上必要になる。同様に、誤差増幅器５３の出力も３．２倍以上必要になる。
【００４９】
以上で明らかなように、この実施の形態１によれば、１８０度ハイブリッド回路３１により分配された第１の経路上の信号に含まれている信号２を不要波として低減するハイブリッド偏差調整用可変減衰器１４及びハイブリッド偏差調整用移相器１５と、１８０度ハイブリッド回路３１により分配された第２の経路上の信号に含まれている信号１を不要波として低減するハイブリッド偏差調整用可変減衰器４４及びハイブリッド偏差調整用移相器４５とを設けるように構成したので、誤差増幅器２３，５３の出力を大きくすることなく、不要波の出力を低減することができる効果を奏する。
【００５０】
なお、この実施の形態１では、ハイブリッド回路として、１８０度ハイブリッド回路３１，３２を実装しているものを示したが、１８０度ハイブリッド回路３１，３２の代わりに、９０度ハイブリッド回路を実装するようにしてもよい。
ただし、９０度ハイブリッド回路を実装する場合、ハイブリッド偏差調整用移相器１５，４５における位相差を１８０度に設定する方が、信号分波器１８，４８での不要波を低減することができる。
【００５１】
実施の形態２．
上記実施の形態１では、歪み抽出用可変減衰器１２，４２と歪み抽出用移相器１３，４３が実装されているマルチポートフィードフォワード増幅器を示したが、この実施の形態２では、歪み抽出用可変減衰器１２，４２と歪み抽出用移相器１３，４３が実装されていないマルチポートフィードフォワード増幅器について説明する。
【００５２】
図４はこの発明の実施の形態２によるマルチポートフィードフォワード増幅器を示す構成図であり、図において、図１と同一符号は同一または相当部分を示すので説明を省略する。
図４のマルチポートフィードフォワード増幅器では、２個のフィードフォワード増幅器１，２から構成されている例を示しているが、フィードフォワード増幅器の個数は２個に限るものではなく、２のｎ乗個のフィードフォワード増幅器から構成されているものであればよい。ただし、ｎは１以上の整数である。
【００５３】
次に動作について説明する。
入力ポートＡから入力されたＣＷ２波である信号１は、第１の経路上にある主増幅器１６で増幅されるが、主増幅器１６等で歪み成分が発生するため、フィードフォワード増幅器１では、信号１に含まれている歪み成分が抽出されて、信号１から歪み成分が除去された後、出力ポートＢから出力される。
一方、入力ポートＢから入力されたＣＷ２波である信号２は、第２の経路上にある主増幅器４６で増幅されるが、主増幅器４６等で歪み成分が発生するため、フィードフォワード増幅器２では、信号２に含まれている歪み成分が抽出されて、信号２から歪み成分が除去された後、出力ポートＤから出力される。
【００５４】
以下、図４のマルチポートフィードフォワード増幅器におけるフィードフォワード増幅器１，２の処理内容を具体的に説明する。
ただし、フィードフォワード増幅器１とフィードフォワード増幅器２の処理内容は同様であるため、ここでは代表して、フィードフォワード増幅器１の処理内容を説明する。
図５はフィードフォワード増幅器１の処理内容を示す説明図である。
【００５５】
信号分波器１１は、入力ポートＡからＣＷ２波である信号１が入力されると、その信号１を分波して、分波後の信号１を１８０度ハイブリッド回路３１及び歪み抽出用遅延線路１７に出力する。
このとき、信号１と周波数が異なるＣＷ２波である信号２が入力ポートＣから入力されるものとする。
この実施の形態２では、歪み抽出用可変減衰器１２及び歪み抽出用移相器１３が実装されておらず、信号分波器１１により分波された信号１の振幅・位相が調整されないため、ハイブリッド偏差調整用可変減衰器１４及びハイブリッド偏差調整用移相器１５が、歪み抽出用可変減衰器１２及び歪み抽出用移相器１３の機能を兼ねている。
【００５６】
１８０度ハイブリッド回路３１は、信号分波器１１から分波後の信号１を受け、信号分波器４１から分波後の信号２を受けると、その信号１を分波して、分波後の信号１を第１の経路と第２の経路に分配するとともに、その信号２を分波して、分波後の信号２を第１の経路と第２の経路に分配する。
これにより、１８０度ハイブリッド回路３１から第１の経路上のハイブリッド偏差調整用可変減衰器１４には信号１＋信号２が出力され、また、１８０度ハイブリッド回路３１から第２の経路上のハイブリッド偏差調整用可変減衰器４４には信号１＋信号２が出力される。
【００５７】
ハイブリッド偏差調整用可変減衰器１４は、１８０度ハイブリッド回路３１により分配された第１の経路上の信号に含まれている信号２を不要波として低減するとともに、信号合波器２０で信号１に含まれている歪み成分を抽出することができるようにするために、第１の経路上の信号の振幅を調整する。
また、ハイブリッド偏差調整用移相器１５は、ハイブリッド偏差調整用可変減衰器１４と同様に、１８０度ハイブリッド回路３１により分配された第１の経路上の信号に含まれている信号２を不要波として低減するとともに、信号合波器２０で信号１に含まれている歪み成分を抽出することができるようにするために、ハイブリッド偏差調整用可変減衰器１４により振幅が調整された第１の経路上の信号の位相を調整する。
【００５８】
主増幅器１６は、ハイブリッド偏差調整用移相器１５が第１の経路上の信号の位相を調整すると、上記実施の形態１と同様に、第１の経路上の信号を増幅して、増幅後の信号を１８０度ハイブリッド回路３２に出力する。
１８０度ハイブリッド回路３２は、主増幅器１６が第１の経路上の信号を増幅し、主増幅器４６が第２の経路上の信号を増幅すると、上記実施の形態１と同様に、増幅後の第１の経路上の信号と増幅後の第２の経路上の信号を合波して、合波後の信号１を第１の経路に出力するとともに、合波後の信号２を第２の経路に出力する。
【００５９】
信号分波器１８は、１８０度ハイブリッド回路３２から合波後の信号１を受けると、上記実施の形態１と同様に、その信号１を分波して、分波後の信号を歪みレベル調整用可変減衰器１９と歪みキャンセル用遅延線路２４に出力する。
歪みレベル調整用可変減衰器１９は、上記実施の形態１と同様に、信号分波器１８により分波された信号１に含まれている歪み成分を抽出することができるように、その信号１の振幅を調整する。
【００６０】
信号合波器２０は、歪みレベル調整用可変減衰器１９が信号１の振幅を調整すると、上記実施の形態１と同様に、振幅調整後の信号１と歪み抽出用遅延線路１７により伝送された信号１を合波することで、主増幅器１６や１８０度ハイブリッド回路３１，３２で発生している歪み成分（１８０度ハイブリッド回路３２から出力された合波後の信号１に含まれている歪み成分）を抽出する。
【００６１】
歪みキャンセル用可変減衰器２１は、上記実施の形態１と同様に、後段の信号合波器２５で、信号１に含まれている歪み成分が除去されるようにするために、信号合波器２０により抽出された信号１に含まれている歪み成分の振幅を調整する。
また、歪みキャンセル用移相器２２は、歪みキャンセル用可変減衰器２１と同様に、信号合波器２５で信号１に含まれている歪み成分が除去されるようにするために、歪みキャンセル用可変減衰器２１により振幅が調整された信号１に含まれている歪み成分の位相を調整する。
なお、入力ポートＡから入力されるパイロット信号が出力ポートＢに出力されないようにするため、歪みキャンセル用可変減衰器２１及び歪みキャンセル用移相器２２で振幅・位相が調整される。
【００６２】
誤差増幅器２３は、歪みキャンセル用移相器２２が信号１に含まれている歪み成分の位相を調整すると、上記実施の形態１と同様に、その歪み成分を線形増幅する。
信号合波器２５は、上記実施の形態１と同様に、歪みキャンセル用遅延線路２４により伝送された信号１（主増幅器１６等で発生している歪み成分を含んでいる信号１）と誤差増幅器２３により線形増幅された信号１に含まれている歪み成分を合波することで、信号１に含まれている歪み成分を除去して、歪み成分を含んでいない信号１を出力ポートＢに出力する。
【００６３】
ここでは、フィードフォワード増幅器１の処理内容を説明したが、フィードフォワード増幅器２がフィードフォワード増幅器１と同様の処理を実施することで、入力ポートＣから入力された信号２についても、主増幅器４６等で発生する歪み成分が除去されて、歪み成分を含んでいない信号２が出力ポートＤに出力される。
【００６４】
以上で明らかなように、ハイブリッド偏差調整用可変減衰器１４及びハイブリッド偏差調整用移相器１５が、歪み抽出用可変減衰器１２及び歪み抽出用移相器１３の機能を兼ねることで、歪み抽出用可変減衰器１２及び歪み抽出用移相器１３が実装されない場合でも、上記実施の形態１と同様に、誤差増幅器２３，５３の出力を大きくすることなく、不要波の出力を低減することができる効果を奏する。
【００６５】
なお、この実施の形態１では、ハイブリッド回路として、１８０度ハイブリッド回路３１，３２を実装しているものを示したが、１８０度ハイブリッド回路３１，３２の代わりに、９０度ハイブリッド回路を実装するようにしてもよい。
ただし、９０度ハイブリッド回路を実装する場合、ハイブリッド偏差調整用移相器１５，４５における位相差を１８０度に設定する方が、信号分波器１８，４８での不要波を低減することができる。
【００６６】
実施の形態３．
上記実施の形態１では、ハイブリッド偏差調整用可変減衰器１４，４４及びハイブリッド偏差調整用移相器１５，４５が実装されているマルチポートフィードフォワード増幅器を示したが、この実施の形態３では、ハイブリッド偏差調整用可変減衰器１４，４４及びハイブリッド偏差調整用移相器１５，４５が実装されていないマルチポートフィードフォワード増幅器について説明する。
この実施の形態３の場合、第１の経路上では、不要波である信号２をパイロット信号として使用し、第２の経路上では、不要波である信号１をパイロット信号として使用することで、パイロット信号の入力を不要としている。
【００６７】
図６はこの発明の実施の形態３によるマルチポートフィードフォワード増幅器を示す構成図であり、図において、図１と同一符号は同一または相当部分を示すので説明を省略する。
図６のマルチポートフィードフォワード増幅器では、２個のフィードフォワード増幅器１，２から構成されている例を示しているが、フィードフォワード増幅器の個数は２個に限るものではなく、２のｎ乗個のフィードフォワード増幅器から構成されているものであればよい。ただし、ｎは１以上の整数である。
【００６８】
１８０度ハイブリッド回路３３は主増幅器１６により増幅された第１の経路上の信号と主増幅器４６により増幅された第２の経路上の信号を合波して、合波後の信号１及び信号２の一部を第１の経路に出力するとともに、合波後の信号２及び信号１の一部を第２の経路に出力する部材である。なお、１８０度ハイブリッド回路３３は信号合波手段を構成している。
【００６９】
信号分波器６１は１８０度ハイブリッド回路３３から出力された合波後の信号１及び信号２の一部を分波する部材である。
信号分波器７１は１８０度ハイブリッド回路３３から出力された合波後の信号２及び信号１の一部を分波する部材である。
【００７０】
歪みレベル調整用可変減衰器６２は信号分波器６１により分波された信号１に含まれている歪み成分及び信号２を不要波として抽出することができるように、信号分波器６１により分波された信号１及び信号２の一部の振幅を調整する部材である。
歪みレベル調整用可変減衰器７２は信号分波器６１により分波された信号２に含まれている歪み成分及び信号１を不要波として抽出することができるように、信号分波器７１により分波された信号２及び信号１の一部の振幅を調整する部材である。
【００７１】
信号合波器６３は歪みレベル調整用可変減衰器６２により振幅が調整された信号１及び信号２の一部と歪み抽出用遅延線路１７により伝送された信号１を合波することで、不要波（１８０度ハイブリッド回路３３から出力された合波後の信号１に含まれている歪み成分と信号２）を抽出する部材である。
信号合波器７３は歪みレベル調整用可変減衰器７２により振幅が調整された信号２及び信号１の一部と歪み抽出用遅延線路４７により伝送された信号２を合波することで、不要波（１８０度ハイブリッド回路３３から出力された合波後の信号２に含まれている歪み成分と信号１）を抽出する部材である。
なお、信号分波器１１、歪み抽出用遅延線路１７、信号分波器６１、歪みレベル調整用可変減衰器６２及び信号合波器６３から第１の不要波抽出手段が構成されており、信号分波器４１、歪み抽出用遅延線路４７、信号分波器７１、歪みレベル調整用可変減衰器７２及び信号合波器７３から第２の不要波抽出手段が構成されている。
【００７２】
歪みキャンセル用可変減衰器６４は信号合波器６３により抽出された不要波の振幅を調整する部材である。
歪みキャンセル用可変減衰器７４は信号合波器７３により抽出された不要波の振幅を調整する部材である。
【００７３】
歪みキャンセル用移相器６５は歪みキャンセル用可変減衰器６４により振幅が調整された不要波の位相を調整する部材である。
歪みキャンセル用移相器７５は歪みキャンセル用可変減衰器７４により振幅が調整された不要波の位相を調整する部材である。
【００７４】
誤差増幅器６６は歪みキャンセル用移相器６５により位相が調整された不要波を線形増幅する部材である。
誤差増幅器７６は歪みキャンセル用移相器７５により位相が調整された不要波を線形増幅する部材である。
【００７５】
歪みキャンセル用遅延線路６７は信号分波器６１により分波された信号１及び信号２の一部を伝送する線路である。
歪みキャンセル用遅延線路７７は信号分波器７１により分波された信号２及び信号１の一部を伝送する線路である。
【００７６】
信号合波器６８は歪みキャンセル用遅延線路６７により伝送された信号１（主増幅器１６等で発生している歪み成分を含んでいる信号１）及び信号２の一部と誤差増幅器６６により線形増幅された不要波を合波することで、信号１に含まれている歪み成分と信号２を除去して、不要波を含んでいない信号１を出力ポートＢに出力する部材である。
信号合波器７８は歪みキャンセル用遅延線路７７により伝送された信号２（主増幅器４６等で発生している歪み成分を含んでいる信号２）及び信号１の一部と誤差増幅器７６により線形増幅された不要波を合波することで、信号２に含まれている歪み成分と信号１を除去して、不要波を含んでいない信号２を出力ポートＤに出力する部材である。
なお、歪みキャンセル用可変減衰器６４、歪みキャンセル用移相器６５、誤差増幅器６６、歪みキャンセル用遅延線路６７及び信号合波器６８から第１の不要波除去手段が構成されており、歪みキャンセル用可変減衰器７４、歪みキャンセル用移相器７５、誤差増幅器７６、歪みキャンセル用遅延線路７７及び信号合波器７８から第２の不要波除去手段が構成されている。
【００７７】
次に動作について説明する。
入力ポートＡから入力されたＣＷ２波である信号１は、第１の経路上にある主増幅器１６で増幅されるが、主増幅器１６等で歪み成分が発生するため、フィードフォワード増幅器１では、信号１に含まれている歪み成分が抽出されて、信号１から歪み成分が除去された後、出力ポートＢから出力される。
一方、入力ポートＢから入力されたＣＷ２波である信号２は、第２の経路上にある主増幅器４６で増幅されるが、主増幅器４６等で歪み成分が発生するため、フィードフォワード増幅器２では、信号２に含まれている歪み成分が抽出されて、信号２から歪み成分が除去された後、出力ポートＤから出力される。
【００７８】
以下、図６のマルチポートフィードフォワード増幅器におけるフィードフォワード増幅器１，２の処理内容を具体的に説明する。
ただし、フィードフォワード増幅器１とフィードフォワード増幅器２の処理内容は同様であるため、ここでは代表して、フィードフォワード増幅器１の処理内容を説明する。
図７はフィードフォワード増幅器１の処理内容を示す説明図である。
【００７９】
信号分波器１１は、入力ポートＡからＣＷ２波である信号１が入力されると、その信号１を分波して、分波後の信号１を歪み抽出用可変減衰器１２及び歪み抽出用遅延線路１７に出力する。
このとき、信号１と周波数が異なるＣＷ２波である信号２が入力ポートＣから入力されるものとする。
【００８０】
歪み抽出用可変減衰器１２は、後段の信号合波器６３で信号１に含まれている歪み成分と信号２を抽出することができるようにするために、信号分波器１１により分波された信号１の振幅を調整する。
また、歪み抽出用移相器１３は、歪み抽出用可変減衰器１２と同様に、信号合波器６３で信号１に含まれている歪み成分と信号２を抽出することができるようにするために、歪み抽出用可変減衰器１２により振幅が調整された信号１の位相を調整する。
なお、信号１及び信号２が信号合波器６３で消去されるように、歪み抽出用可変減衰器１２及び歪み抽出用移相器１３で振幅・位相が調整される。
【００８１】
１８０度ハイブリッド回路３１は、歪み抽出用移相器１３が信号１の位相を調整し、歪み抽出用移相器４３が信号２の位相を調整すると、上記実施の形態１と同様に、その信号１を分波して、分波後の信号１を第１の経路と第２の経路に分配するとともに、その信号２を分波して、分波後の信号２を第１の経路と第２の経路に分配する。
これにより、１８０度ハイブリッド回路３１から第１の経路上の主増幅器１６には信号１＋信号２が出力され、また、１８０度ハイブリッド回路３１から第２の経路上の主増幅器４６には信号１＋信号２が出力される。
【００８２】
主増幅器１６は、１８０度ハイブリッド回路３１により分配された第１の経路上の信号を増幅して、増幅後の信号を１８０度ハイブリッド回路３３に出力する。
１８０度ハイブリッド回路３３は、主増幅器１６が第１の経路上の信号を増幅し、主増幅器４６が第２の経路上の信号を増幅すると、増幅後の第１の経路上の信号と増幅後の第２の経路上の信号を合波して、合波後の信号１を第１の経路に出力するとともに、合波後の信号２を第２の経路に出力する。
【００８３】
この実施の形態３では、ハイブリッド偏差調整用可変減衰器１４，４４及びハイブリッド偏差調整用移相器１５，５５が実装されていないため、１８０度ハイブリッド回路３３から第１の経路上に出力された信号の中には、信号１の他に、その信号１の歪み成分と信号２の一部が含まれている。
また、１８０度ハイブリッド回路３３から第２の経路上に出力された信号の中には、信号２の他に、その信号２の歪み成分と信号１の一部が含まれている。
【００８４】
信号分波器６１は、１８０度ハイブリッド回路３３から合波後の信号１及び信号２の一部を受けると、その信号１及び信号２の一部を分波して、分波後の信号及び信号２の一部を歪みレベル調整用可変減衰器６２と歪みキャンセル用遅延線路６７に出力する。
歪みレベル調整用可変減衰器６２は、信号分波器６１により分波された信号１に含まれている歪み成分と信号２を不要波として抽出することができるように、その信号１及び信号２の一部の振幅を調整する。
【００８５】
信号合波器６３は、歪みレベル調整用可変減衰器６２が信号１及び信号２の一部の振幅を調整すると、振幅調整後の信号１及び信号２の一部と歪み抽出用遅延線路１７により伝送された信号１を合波することで、不要波（１８０度ハイブリッド回路３３から出力された合波後の信号１に含まれている歪み成分と信号２）を抽出する。
【００８６】
歪みキャンセル用可変減衰器６４は、後段の信号合波器６８で不要波が除去されるようにするために、信号合波器６３により抽出された不要波の振幅を調整する。
また、歪みキャンセル用移相器６５は、歪みキャンセル用可変減衰器６４と同様に、信号合波器６８で不要波が除去されるようにするために、歪みキャンセル用可変減衰器６４により振幅が調整された不要波の位相を調整する。
【００８７】
誤差増幅器２３は、歪みキャンセル用移相器２２が不要波の位相を調整すると、その不要波を線形増幅する。
信号合波器６８は、歪みキャンセル用遅延線路６７により伝送された信号１（主増幅器１６等で発生している歪み成分を含んでいる信号１）及び信号２の一部と誤差増幅器６６により線形増幅された不要波を合波することで、信号１に含まれている歪み成分と信号２を除去して、不要波を含んでいない信号１を出力ポートＢに出力する。
【００８８】
ここでは、フィードフォワード増幅器１の処理内容を説明したが、フィードフォワード増幅器２がフィードフォワード増幅器１と同様の処理を実施することで、入力ポートＣから入力された信号２についても、主増幅器４６等で発生する歪み成分が除去されて、歪み成分を含んでいない信号２が出力ポートＤに出力される。
【００８９】
以上で明らかなように、ハイブリッド偏差調整用可変減衰器１４，４４及びハイブリッド偏差調整用移相器１５，４５が実装されていない場合でも、上記実施の形態１と同様に、誤差増幅器２３，５３の出力を大きくすることなく、不要波の出力を低減することができる効果を奏する。
また、第１の経路上では、不要波である信号２をパイロット信号として使用し、第２の経路上では、不要波である信号１をパイロット信号として使用することで、パイロット信号の入力が不要になり、部品点数を削減することができる効果を奏する。ただし、不要波をパイロット信号として用いているため、歪み成分の位相や振幅の大きさが不要波の位相や振幅と大きく異なる場合には、上記実施の形態１よりも、歪みの低減量が少なくなる場合もある。
【００９０】
なお、この実施の形態２では、ハイブリッド回路として、１８０度ハイブリッド回路３１，３３を実装しているものを示したが、１８０度ハイブリッド回路３１，３３の代わりに、９０度ハイブリッド回路を実装するようにしてもよい。
ただし、９０度ハイブリッド回路を実装する場合、ハイブリッド回路３３以降の第１の経路と第２の経路を逆に繋ぎ替える必要がある。
【００９１】
実施の形態４．
図８はこの発明の実施の形態４によるマルチポートフィードフォワード増幅器を示す構成図であり、図において、図１と同一符号は同一または相当部分を示すので説明を省略する。
図８のマルチポートフィードフォワード増幅器では、２個のフィードフォワード増幅器１，２から構成されている例を示しているが、フィードフォワード増幅器の個数は２個に限るものではなく、２のｎ乗個のフィードフォワード増幅器から構成されているものであればよい。ただし、ｎは１以上の整数である。
【００９２】
９０度ハイブリッド回路８１は入力ポートＡから入力された信号１を分波して、分波後の信号１を第１の経路と第２の経路に分配するとともに、入力ポートＣから入力された信号２を分波して、分波後の信号２を第１の経路と第２の経路に分配する部材である。なお、９０度ハイブリッド回路８１は第１の９０度ハイブリッド回路を構成している。
【００９３】
可変減衰器８２は９０度ハイブリッド回路８１により分波された第１の経路上の信号の振幅を調整する部材である。
可変減衰器８３は９０度ハイブリッド回路８１により分波された第２の経路上の信号の振幅を調整する部材である。
【００９４】
移相器８４は可変減衰器８２により振幅が調整された第１の経路上の信号の位相を調整する部材である。
移相器８５は可変減衰器８３により振幅が調整された第２の経路上の信号の位相を調整する部材である。
ただし、移相器８４，８５は、第１の経路上の信号と第２の経路上の信号との位相差が１８０度になるように位相を調整する。
なお、移相器８４，８５は位相調整手段を構成している。
【００９５】
９０度ハイブリッド回路８６はフィードフォワード増幅器１により増幅された第１の経路上の信号とフィードフォワード増幅器２により増幅された第２の経路上の信号を合波して、合波後の信号１を出力ポートＢに出力するとともに、合波後の信号２を出力ポートＤに出力する部材である。なお、９０度ハイブリッド回路８６は第２の９０度ハイブリッド回路を構成している。
【００９６】
次に動作について説明する。
９０度ハイブリッド回路８１は、入力ポートＡから入力された信号１を分波して、分波後の信号１を第１の経路と第２の経路に分配するとともに、入力ポートＣから入力された信号２を分波して、分波後の信号２を第１の経路と第２の経路に分配する。
９０度ハイブリッド回路８１から出力された第１の経路上の信号は、可変減衰器８２で振幅が調整され、移相器８４で位相が調整される。
一方、９０度ハイブリッド回路８１から出力された第２の経路上の信号は、可変減衰器８３で振幅が調整され、移相器８５で位相が調整される。
このとき、第１の経路上の信号と第２の経路上の信号との位相差が１８０度になるように、移相器８４，８５で位相が調整される。
【００９７】
フィードフォワード増幅器１は、移相器８４により位相が調整された第１の経路上の信号を増幅し、増幅後の信号を９０度ハイブリッド回路８６に出力する。
また、フィードフォワード増幅器２は、移相器８５により位相が調整された第２の経路上の信号を増幅し、増幅後の信号を９０度ハイブリッド回路８６に出力する。
【００９８】
９０度ハイブリッド回路８６は、フィードフォワード増幅器１により増幅された第１の経路上の信号とフィードフォワード増幅器２により増幅された第２の経路上の信号を合波して、合波後の信号１を出力ポートＢに出力するとともに、合波後の信号２を出力ポートＤに出力する。
【００９９】
ここで、この実施の形態４の効果を詳細に説明する。
図８のマルチポートフィードフォワード増幅器は、フィードフォワード増幅器１，２が理想増幅器であるとみなすと、図１０（ｂ）と同じ構成になる。
したがって、入力ポートＡから入力された信号１は、出力ポートＤに出力されるはずであるが、この実施の形態４では、第１の経路上の信号と第２の経路上の信号との位相差が１８０度になるように、移相器８４，８５で位相が調整されているため、入力ポートＡから入力された信号１は、出力ポートＢに出力される。これは、１８０度ハイブリッド回路を用いた場合と同義になる。
【０１００】
９０度ハイブリッド回路の位相偏差が、図９（ｂ）のように表せるとすると、図９（ａ）の入力ポートＡから入力された信号が出力ポートＤに出力され、入力ポートＣから入力された信号が出力ポートＢに出力され、移相器８４，８５でΔＰ，ΔＰ’の位相を回せるとする。
この場合、不要波が他ポートから出力されない条件は
ΔＰ−ΔＰ’＝２χ−２γ
ΔＰ−ΔＰ’＝２β−２α
∴β＝χ、かつ、α＝γ
となり、常には成立しない。
【０１０１】
次に、図９（ａ）の入力ポートＡから入力された信号が出力ポートＢに出力され、入力ポートＣから入力された信号が出力ポートＤに出力され、移相器８４，８５でΔＰ，ΔＰ’の位相を回せるとする。
この場合、不要波が他ポートから出力されない条件は
α＋γ＋ΔＰ＝β＋χ＋ΔＰ’＋１８０
∴ΔＰ−ΔＰ’=１８０−α−γ＋β＋χ
となり、常に成立する。
【０１０２】
したがって、図９（ａ）の入力ポートＡから入力された信号が出力ポートＤに出力され、入力ポートＣから入力された信号が出力ポートＢに出力される場合は、ある条件が満たされないと、常に位相偏差が生じるが、図９（ａ）の入力ポートＡから入力された信号が出力ポートＢに出力され、入力ポートＣから入力された信号が出力ポートＤに出力される場合は、常に位相偏差を０にすることができる。
そのため、不要波を抑えることができる。
【０１０３】
以上で明らかなように、この実施の形態４によれば、移相器８４，８５が、第１の経路上の信号と第２の経路上の信号との位相差が１８０度になるように位相を調整しているので、不要波を抑えることができる効果を奏する。
【０１０４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【０１０５】
Ａ  入力ポート（第１の入力ポート）、Ｂ，Ｄ  出力ポート、Ｃ  入力ポート（第２の入力ポート）、１，２  フィードフォワード増幅器、１１  信号分波器（第１の歪み成分抽出手段、第１の不要波抽出手段）、１２  歪み抽出用可変減衰器（第１の振幅位相調整手段）、１３  歪み抽出用移相器（第１の振幅位相調整手段）、１４  ハイブリッド偏差調整用可変減衰器（第１の不要波低減手段）、１５  ハイブリッド偏差調整用移相器（第１の不要波低減手段）、１６  主増幅器（第１の増幅器）、１７  歪み抽出用遅延線路（第１の歪み成分抽出手段、第１の不要波抽出手段）、１８  信号分波器（第１の歪み成分抽出手段）、１９  歪みレベル調整用可変減衰器（第１の歪み成分抽出手段）、２０  信号合波器（第１の歪み成分抽出手段）、２１  歪みキャンセル用可変減衰器（第１の歪み成分除去手段）、２２  歪みキャンセル用移相器（第１の歪み成分除去手段）、２３  誤差増幅器（第１の歪み成分除去手段）、２４  歪みキャンセル用遅延線路（第１の歪み成分除去手段）、２５  信号合波器（第１の歪み成分除去手段）、３１  １８０度ハイブリッド回路（信号分配手段）、３２  １８０度ハイブリッド回路（信号合波手段）、３３  １８０度ハイブリッド回路（信号合波手段）、４１  信号分波器（第２の歪み成分抽出手段、第２の不要波抽出手段）、４２  歪み抽出用可変減衰器（第２の振幅位相調整手段）、４３  歪み抽出用移相器（第２の振幅位相調整手段）、４４  ハイブリッド偏差調整用可変減衰器（第２の不要波低減手段）、４５  ハイブリッド偏差調整用移相器（第２の不要波低減手段）、４６  主増幅器（第２の増幅器）、４７  歪み抽出用遅延線路（第２の歪み成分抽出手段、第２の不要波抽出手段）、４８  信号分波器（第２の歪み成分抽出手段）、４９  歪みレベル調整用可変減衰器（第２の歪み成分抽出手段）、５０  信号合波器（第２の歪み成分抽出手段）、５１  歪みキャンセル用可変減衰器（第２の歪み成分除去手段）、５２  歪みキャンセル用移相器（第２の歪み成分除去手段）、５３  誤差増幅器（第２の歪み成分除去手段）、５４  歪みキャンセル用遅延線路（第２の歪み成分除去手段）、５５  信号合波器（第２の歪み成分除去手段）、６１  信号分波器（第１の不要波抽出手段）、６２  歪みレベル調整用可変減衰器（第１の不要波抽出手段）、６３  信号合波器（第１の不要波抽出手段）、６４  歪みキャンセル用可変減衰器（第１の不要波除去手段）、６５  歪みキャンセル用移相器（第１の不要波除去手段）、６６  誤差増幅器（第１の不要波除去手段）、６７  歪みキャンセル用遅延線路（第１の不要波除去手段）、６８  信号合波器（第１の不要波除去手段）、７１  信号分波器（第１の不要波抽出手段）、７２  歪みレベル調整用可変減衰器（第１の不要波抽出手段）、７３  信号合波器（第１の不要波抽出手段）、７４  歪みキャンセル用可変減衰器（第２の不要波除去手段）、７５  歪みキャンセル用移相器（第２の不要波除去手段）、７６  誤差増幅器（第２の不要波除去手段）、７７  歪みキャンセル用遅延線路（第２の不要波除去手段）、７８  信号合波器（第２の不要波除去手段）、８１  ９０度ハイブリッド回路（第１の９０度ハイブリッド回路）、８２，８３  可変減衰器、８���，８５  移相器（位相調整手段）、８６  ９０度ハイブリッド回路（第２の９０度ハイブリッド回路）。
【図１】
2013110638.tif 000003
【図２】
2013110638.tif 000004
【図３】
2013110638.tif 000005
【図４】
2013110638.tif 000006
【図５】
2013110638.tif 000007
【図６】
2013110638.tif 000008
【図７】
2013110638.tif 000009
【図８】
2013110638.tif 000010
【図９】
2013110638.tif 000011
【図１０】
2013110638.tif 000012